(57)【要約】【課題】  ヘッドカバーをクラブヘッドから引き抜くべく、ハンドルに引っ張り力を加えた際に、ヘッドカバーの変形を抑えてヘッドカバーとクラブヘッドとの引っ掛かりを少なくしてヘッドカバーとクラブヘッドとの摩擦を小さくすることで、ヘッドカバーをクラブヘッドから引き抜き易くしたヘッドカバーを提供することにある。【解決手段】  ハンドル３は硬質材で形成され、該ハンドル３の内面とヘッドカバー部２外面との間には隙間が開けられると共に該ハンドル３の両端部をヘッドカバー部２外面にそれぞれ取り付けるハンドル取付部９を設け、両ハンドル取付部９は、クラブヘッドＨのソール外周上、又はその近傍の位置であって且つ互いに対向する二箇所に対応する部位のヘッドカバー部２外面に設けられている。【選択図】  図１
2009273748.tif 000002
【特許請求の範囲】
【請求項１】
袋状に形成されてゴルフクラブのクラブヘッドが挿入されるヘッドカバー部と、該ヘッドカバー部の外面に取り付けられたハンドルとを備えたゴルフクラブのヘッドカバーであって、
ハンドルは硬質材で形成され、
該ハンドルの内面とヘッドカバー部外面との間には隙間が開けられると共に該ハンドルの両端部をヘッドカバー部外面にそれぞれ取り付けるハンドル取付部を設け、両ハンドル取付部は、前記クラブヘッドのソール外周上、又はその近傍の位置であって且つ互いに対向する二箇所に対応する部位のヘッドカバー部外面に設けられていることを特徴とするゴルフクラブのヘッドカバー。
【請求項２】
ハンドル取付部は、ヘッドカバー部の幅が最大になる部位又はその近傍に設けられていることを特徴とする請求項１に記載のゴルフクラブのヘッドカバー。
【請求項３】
袋状に形成されてゴルフクラブのクラブヘッドが挿入されるヘッドカバー部と、該ヘッドカバー部の外面に取り付けられたハンドルとを備えたゴルフクラブのヘッドカバーであって、
ハンドルは硬質材で形成され、
該ハンドルはヘッドカバー部の幅方向へ設けられると共に、該ハンドルは、該ハンドル内面とヘッドカバー部外面との間に隙間を開けるように湾曲した略アーチ型に形成されてその両端部がヘッドカバー部外面に取り付けられていることを特徴とするゴルフクラブのヘッドカバー。
【請求項４】
ハンドルの両端部をヘッドカバー部外面に取り付けるハンドル取付部は、ヘッドカバー部の幅が最大になる部位又はその近傍に設けられていることを特徴とする請求項３に記載のゴルフクラブのヘッドカバー。
【請求項５】
ハンドルには、指を引っ掛けるための凹部が形成されていることを特徴とする請求項３又は請求項４に記載のゴルフクラブのヘッドカバー。
【請求項６】
クラブヘッドの挿入方向、又は引抜方向へ向けてハンドルから延設された補助ハンドルが設けられ、該補助ハンドルの端部がヘッドカバー部外面に取り付けられたことを特徴とする請求項３乃至請求項５のいずれか１項に記載のゴルフクラブのヘッドカバー。
【請求項７】
ハンドルの両端部が、クラブヘッドの挿入方向へ向けて広がった幅広部になっていることを特徴とする請求項３乃至請求項５のいずれか１項に記載のゴルフクラブのヘッドカバー。
【請求項８】
ハンドルの両端部が二股に分岐した分岐部になっていることを特徴とする請求項３乃至請求項５のいずれか１項に記載のゴルフクラブのヘッドカバー。
【請求項９】
ハンドルの平面形状が、リング状であることを特徴とする請求項３乃至請求項８のいずれか１項に記載のゴルフクラブのヘッドカバー。
【請求項１０】
袋状に形成されてゴルフクラブのクラブヘッドが挿入されるヘッドカバー部と、該ヘッドカバー部の表面に取り付けられたハンドルとを備えたゴルフクラブのヘッドカバーであって、
ハンドルは硬質材で形成され、
該ハンドルはヘッドカバー部の幅方向及びクラブヘッドの挿入方向へ湾曲した略ドーム型に形成されてその周縁がヘッドカバー部の表面に取り付けられていることを特徴とするゴルフクラブのヘッドカバー。
【請求項１１】
前記ハンドルの周縁は、クラブヘッドのソール外周の一部又は全部に対応する部位においてヘッドカバー部外面に取り付けられたことを特徴とする請求項１０に記載のゴルフクラブのヘッドカバー。
【請求項１２】
ハンドルには、指を差込できる指差込孔が設けられていることを特徴とする請求項１０又は請求項１１に記載のゴルフクラブのヘッドカバー。
【請求項１３】
ハンドルには、指を引っ掛けるための凹部が設けられていることを特徴とする請求項１０又は請求項１１に記載のゴルフクラブのヘッドカバー。
【請求項１４】
ハンドルは、ヘッドカバー部に収容されたクラブヘッドの下端側へ向けて開口した開口部となっていることを特徴とする請求項１０又は請求項１１に記載のゴルフクラブのヘッドカバー。
【請求項１５】
ハンドルは、ヘッドカバー部に収容されたクラブヘッドの反下端側へ向けて開口した開口部となっていることを特徴とする請求項１０又は請求項１１に記載のゴルフクラブのヘッドカバー。

【請求項１６】
開口部は、ヘッドカバー部の幅が最大になる部位又はその近傍に設けられていることを特徴とする請求項１４又は請求項１５に記載のゴルフクラブのヘッドカバー。
【請求項１７】
袋状に形成されてゴルフクラブのクラブヘッドが挿入されるヘッドカバー部と、該ヘッドカバー部の表面に取り付けられたハンドルとを備えたゴルフクラブのヘッドカバーであって、
ハンドルは硬質材で形成され、
該ハンドルはクラブヘッドの挿入方向へ向けて湾曲した略アーチ型に形成されてその先端及び後端がへッドカバー部の表面に取り付けられていることを特徴とするゴルフクラブのヘッドカバー。
【請求項１８】
クラブヘッドの挿入方向へ向けて、ハンドルの先端側が二股に分岐していることを特徴とする請求項１７に記載のゴルフクラブのヘッドカバー。
【請求項１９】
クラブヘッドの挿入方向へ向けて、先端側及び後端側が二股に分岐していることを特徴とする請求項１７に記載のゴルフクラブのヘッドカバー。
【請求項２０】
袋状に形成されてゴルフクラブのクラブヘッドが挿入されるヘッドカバー部と、該ヘッドカバー部の表面に取り付けられたハンドルとを備えたゴルフクラブのヘッドカバーであって、
ハンドルは硬質材で形成され、
該ハンドルはクラブヘッドの挿入方向へ向けて湾曲した略アーチ型に形成されてその先端及び後端が、へッドカバー部の表面に設けられたリング状の取付基板に取り付けられていることを特徴とするゴルフクラブのヘッドカバー。
【請求項２１】
袋状に形成されてゴルフクラブのクラブヘッドが挿入されるヘッドカバー部と、該ヘッドカバー部の表面に取り付けられたハンドルとを備えたゴルフクラブのヘッドカバーであって、
ハンドルは硬質材で形成され、
該ハンドルは、ヘッドカバー部に収容されたクラブヘッドのソールの全面、又はその一部を覆うように設けられた取付基板に設けられたことを特徴とするゴルフクラブのヘッドカバー。
【請求項２２】
ハンドルは、ヘッドカバー部の幅方向へ向けて細長であることを特徴とする請求項２１に記載のゴルフクラブのヘッドカバー。
【請求項２３】
ハンドルは、クラブヘッドの挿入方向へ向けて細長であることを特徴とする請求項２１に記載のゴルフクラブのヘッドカバー。
【発明の詳細な説明】
【技術分野】
【０００１】
本発明は、ゴルフクラブのクラブヘッドカバーに関するものである。
【背景技術】
【０００２】
近年、ゴルフクラブのクラブヘッドが大型化しているために、クラブヘッドに被せられているヘッドカバーは、一般に、その先端側の一部を摘んで引き抜かれるか、又は、ゴルフクラブのネック部を掴んで回しながら引き抜かれる。
【発明の開示】
【発明が解決しようとする課題】
【０００３】
又、ヘッドカバーが、伸縮性の少ない合皮製の場合には、大きな力を加えなければヘッドカバーの一部のみを掴んでクラブヘッドから引き抜くことができないために、ヘッドカバーをクラブヘッドから引き抜きづらいという問題があった。
【０００４】
特に、男性に比較して手が小さく、しかも、握力の弱い女性では、容易に、ヘッドカバーの一部を掴んでクラブヘッドから引き抜けないという問題があった。
【０００５】
このために、ヘッドカバーに、合皮製のハンドルを設けたものが知られている。しかし、合皮製のハンドルは、手で握って引っ張り力を加えた際に変形し易く、引っ張り力がハンドルに効率良く伝わらないために、ハンドルを掴んで引っ張ってもヘッドカバーをクラブヘッド容易に引き抜けないという問題があった。更に、ハンドルに引っ張り力を加えることで、ハンドルが変形すると共に、ヘッドカバー自体も変形する結果、ヘッドカバーが内側のクラブヘッドに引っ掛かって、ヘッドカバーとクラブヘッドとの摩擦が高まり、その結果、ヘッドカバーをクラブヘッドから引き抜きづらいという問題があった。
【０００６】
ヘッドカバーに関する発明として、特許文献１に記載の発明が知られている。当該特許文献１に記載の発明は、ヘッドカバーの一部に伸縮部を設けることで、ヘッドカバーにクラブヘッドを出し入れするときに、伸縮部が伸縮することで、クラブヘッドの出し入れを容易にすることを意図している。
【０００７】
【特許文献１】特開２００８−６８０６９号公報
【０００８】
しかし、特許文献１に記載の発明は、前述のように、ヘッドカバーをクラブヘッドから引き抜くべく、ハンドルに引っ張り力を加えた際に当該引っ張り力によって、ハンドルが変形すると共に当該ハンドルの変形によってヘッドカバーが変形してヘッドカバーとクラブヘッドとの摩擦が高まるという背景技術の問題を解消する発明ではない。
【０００９】
本発明は、前記背景技術の問題に鑑みてなされたもので、その目的は、ヘッドカバーをクラブヘッドから引き抜くべく、ハンドルに引っ張り力を加えた際に、当該引っ張り力によるハンドル自体の変形をなくすことができるようにすることで、ハンドルに加えられた引っ張り力をヘッドカバーに効率よく伝えることができると共に、ヘッドカバーの変形を抑えてヘッドカバーとクラブヘッドとの引っ掛かりを少なくしてヘッドカバーとクラブヘッドとの摩擦を小さくすることで、ヘッドカバーをクラブヘッドから引き抜き易くしたヘッドカバーを提供することにある。
【課題を解決するための手段】
【００１０】
請求項１に記載の発明は、袋状に形成されてゴルフクラブのクラブヘッドが挿入されるヘッドカバー部と、該ヘッドカバー部の外面に取り付けられたハンドルとを備えたゴルフクラブのヘッドカバーであって、
ハンドルは硬質材で形成され、
該ハンドルの内面とヘッドカバー部外面との間には隙間が開けられると共に該ハンドルの両端部をヘッドカバー部外面にそれぞれ取り付けるハンドル取付部を設け、両ハンドル取付部は、前記クラブヘッドのソール外周上、又はその近傍の位置であって且つ互いに対向する二箇所に対応する部位のヘッドカバー部外面に設けられていることを特徴とするゴルフクラブのヘッドカバーである。
【００１１】
請求項２に記載の発明は、請求項１に記載の発明において、ハンドル取付部は、ヘッドカバー部の幅が最大になる部位又はその近傍に設けられていることを特徴とするものである。
【００１２】
請求項３に記載の発明は、袋状に形成されてゴルフクラブのクラブヘッドが挿入されるヘッドカバー部と、該ヘッドカバー部の外面に取り付けられたハンドルとを備えたゴルフクラブのヘッドカバーであって、
ハンドルは硬質材で形成され、
該ハンドルはヘッドカバー部の幅方向へ設けられると共に、該ハンドルは、該ハンドル内面とヘッドカバー部外面との間に隙間を開けるように湾曲した略アーチ型に形成されてその両端部がへッドカバー部外面に取り付けられていることを特徴とするゴルフクラブのヘッドカバーである。
【００１３】
請求項４に記載の発明は、請求項３に記載の発明において、ハンドルの両端部をヘッドカバー部外面に取り付けるハンドル取付部は、ヘッドカバー部の幅が最大になる部位又はその近傍に設けられていることを特徴とするものである。
【００１４】
請求項５に記載の発明は、請求項３に記載の発明において、ハンドルには、指を引っ掛けるための凹部が形成されていることを特徴とするものである。
【００１５】
請求項６に記載の発明は、請求項３乃至請求項５のいずれか１項に記載の発明において、クラブヘッドの挿入方向、又は引抜方向へ向けてハンドルから延設された補助ハンドルが設けられ、該補助ハンドルの端部がヘッドカバー部外面に取り付けられたことを特徴とするものである。
【００１６】
請求項７に記載の発明は、請求項３乃至請求項５のいずれか１項に記載の発明において、ハンドルの両端部が、クラブヘッドの挿入方向へ向けて広がった幅広部になっていることを特徴とするものである。
【００１７】
請求項８に記載の発明は、請求項３乃至請求項５のいずれか１項に記載の発明において、ハンドルの両端部が二股に分岐した分岐部になっていることを特徴とするものである。
【００１８】
請求項９に記載の発明は、請求項３乃至請求項５のいずれか１項に記載の発明において、ハンドルの平面形状が、リング状であることを特徴とするものである。
【００１９】
請求項１０に記載の発明は、袋状に形成されてゴルフクラブのクラブヘッドが挿入されるヘッドカバー部と、該ヘッドカバー部の表面に取り付けられたハンドルとを備えたゴルフクラブのヘッドカバーであって、
ハンドルは硬質材で形成され、
該ハンドルはヘッドカバー部の幅方向及びクラブヘッドの挿入方向へ湾曲した略ドーム型に形成されてその周縁がヘッドカバー部の表面に取り付けられていることを特徴とするゴルフクラブのヘッドカバーである。
【００２０】
請求項１１に記載の発明は、請求項１０に記載の発明において、前記ハンドルの周縁は、クラブヘッドのソール外周の一部又は全部に対応する部位においてヘッドカバー部外面に取り付けられたことを特徴とするものである。
【００２１】
請求項１２に記載の発明は、請求項１０又は請求項１１に記載の発明において、ハンドルには、指を差込できる指差込孔が設けられていることを特徴とするものである。
【００２２】
請求項１３に記載の発明は、請求項１０又は請求項１１に記載の発明において、ハンドルには、指を引っ掛けるための凹部が設けられていることを特徴とするものである。
【００２３】
請求項１４に記載の発明は、請求項１０又は請求項１１に記載の発明において、ハンドルは、ヘッドカバー部に収容されたクラブヘッドの下端側へ向けて開口した開口部となっていることを特徴とするものである。
【００２４】
請求項１５に記載の発明は、請求項１０又は請求項１１に記載の発明において、ハンドルは、ヘッドカバー部に収容されたクラブヘッドの反下端側へ向けて開口した開口部となっていることを特徴とするものである。
【００２５】
請求項１６に記載の発明は、請求項１４又は請求項１５に記載の発明において、開口部は、ヘッドカバー部の幅が最大になる部位又はその近傍に設けられていることを特徴とするものである。
【００２６】
請求項１７に記載の発明は、袋状に形成されてゴルフクラブのクラブヘッドが挿入されるヘッドカバー部と、該ヘッドカバー部の表面に取り付けられたハンドルとを備えたゴルフクラブのヘッドカバーであって、
ハンドルは硬質材で形成され、
該ハンドルはクラブヘッドの挿入方向へ向けて湾曲した略アーチ型に形成されてその先端及び後端がヘッドカバー部の表面に取り付けられていることを特徴とするゴルフクラブのヘッドカバーである。
【００２７】
請求項１８に記載の発明は、請求項１７に記載の発明において、クラブヘッドの挿入方向へ向けて、ハンドルの先端側が二股に分岐していることを特徴とするものである。
【００２８】
請求項１９に記載の発明は、請求項１６に記載の発明において、クラブヘッドの挿入方向へ向けて、先端側及び後端側が二股に分岐していることを特徴とするものである。
【００２９】
請求項２０に記載の発明は、袋状に形成されてゴルフクラブのクラブヘッドが挿入されるヘッドカバー部と、該ヘッドカバー部の表面に取り付けられたハンドルとを備えたゴルフクラブのヘッドカバーであって、
ハンドルは硬質材で形成され、
該ハンドルはクラブヘッドの挿入方向へ向けて湾曲した略アーチ型に形成されてその先端及び後端が、へッドカバー部の表面に設けられたリング状の取付基板に取り付けられていることを特徴とするゴルフクラブのヘッドカバーである。
【００３０】
請求項２１に記載の発明は、袋状に形成されてゴルフクラブのクラブヘッドが挿入されるヘッドカバー部と、該ヘッドカバー部の表面に取り付けられたハンドルとを備えたゴルフクラブのヘッドカバーであって、
ハンドルは硬質材で形成され、
該ハンドルは、ヘッドカバー部に収容されたクラブヘッドのソールの全面、又はその一部を覆うように設けられた取付基板に設けられたことを特徴とするゴルフクラブのヘッドカバーである。
【００３１】
請求項２２に記載の発明は、請求項２１に記載の発明において、ハンドルは、ヘッドカバー部の幅方向へ向けて細長であることを特徴とするものである。
【００３２】
請求項２３に記載の発明は、請求項２１に記載の発明において、ハンドルは、クラブヘッドの挿入方向へ向けて細長であることを特徴とするものである。
【発明の効果】
【００３３】
請求項１に記載の発明によれば、ハンドルを握ってハンドルを引くことによって、ヘッドカバーをクラブヘッドから外すことができる。ハンドルは硬質材で形成されて変形し難いために、ハンドルをしっかりと握って引くことによって、ヘッドカバーをクラブヘッドから容易に外すことができる。
【００３４】
又、ハンドルの両端部が、前記クラブヘッドのソール外周上、又はその近傍の互いに対向する二箇所に対応する部位のヘッドカバー部外面に取り付けられているために、ハンドルは、ヘッドカバーの広がった形態を保形することができる。従って、ヘッドカバーをクラブヘッドから外す際に、該ヘッドカバーはクラブヘッドに引っ掛かることなく、該クラブヘッドからスムーズに外すことができる。
【００３５】
更に、ハンドルとヘッドカバー部との間には、隙間が開けられているために、この隙間に手、又は指を差し込むことで、ハンドルを容易に掴むことができる。
【００３６】
請求項２に記載の発明によれば、請求項１に記載の発明の効果を奏することができる上に、ハンドルは、ヘッドカバーの幅が最大になる部位又はその近傍に取付られることで、ヘッドカバーの幅が最大の部位又はその近傍において、ヘッドカバーの幅方向へ広がった形態を保形するために、ヘッドカバーをクラブヘッドから外す際に、ヘッドカバーとクラブヘッドとの引っ掛かりを可及的に少なくできて、ヘッドカバーをクラブヘッドから一層、スムーズに外すことができる。
【００３７】
請求項３に記載された発明によれば、ハンドルを握って引くことによって、ヘッドカバーをクラブヘッドから外すことができる。ハンドルは硬質材で形成されて変形し難いために、ハンドルをしっかりと握って引くことによって、ヘッドカバーをクラブヘッドから容易に外すことができる。
【００３８】
又、ハンドルはアーチ型に湾曲した形態に形成されているために、ハンドルは、ヘッドカバー部の形態を幅方向へ広がった形態に保形することができる。従って、ヘッドカバーをクラブヘッドから外す際に、ヘッドカバーとクラブヘッドとの引っ掛かりを可及的に少なくすることができるために、ヘッドカバーをクラブヘッドから一層、スムーズに外すことができる。又、ハンドルはアーチ型に形成されることで、ハンドルとヘッドカバー部との間に隙間が開けられるために、この隙間に手を差し込むことで、ハンドルを容易に掴むことができる。
【００３９】
請求項４に記載の発明によれば、請求項３に記載の発明の効果を奏することができる上に、ハンドルは、ヘッドカバーの幅が最大になる部位又はその近傍に取付られることで、ヘッドカバーの幅が最大の部位又はその近傍において、ヘッドカバーの幅方向へ広がった形態を保形するために、ヘッドカバーをクラブヘッドから外す際に、ヘッドカバーとクラブヘッドとの引っ掛かりを可及的に少なくできて、ヘッドカバーをクラブヘッドから一層、スムーズに外すことができる。
【００４０】
請求項５に記載の発明によれば、請求項３又は４に記載の発明の効果を奏することができる上に、ハンドルの凹部に指を引っ掛けて、ハンドルを引くことによって、ヘッドカバーをクラブヘッドからスムーズに外すことができる。
【００４１】
請求項６に記載の発明によれば、請求項３乃至５のいずれか１項に記載の発明の効果を奏することができる上に、ハンドルに補助ハンドルを設けたために、ハンドルをしっかりとヘッドカバー部に取り付けることができる。又、補助ハンドルの端部がヘッドカバー部外面に取り付けられることで、ハンドル及び補助ハンドルによって、ヘッドカバー部の形態を保形できるために、ヘッドカバーをクラブヘッドから外す際に、ヘッドカバーとクラブヘッドとの引っ掛かりを少なくできて、ヘッドカバーをクラブヘッドからスムーズに外すことができる。
【００４２】
請求項７に記載の発明によれば、請求項３乃至５のいずれか１項に記載の発明の効果を奏することができる上に、ハンドルの両端部がクラブヘッド挿入方向へ向けて広がっているために、当該両端部の当該広がった範囲において、更に、ヘッドカバー部を幅方向へ広がった形態に保形することいができる。このために、従って、ヘッドカバーがクラブヘッドに引っ掛かることがなく、ヘッドカバーをクラブヘッドから一層、スムーズに外すことができる。
【００４３】
請求項８に記載の発明によれば、請求項３乃至５のいずれか１項に記載の発明の効果を奏することができる上に、ハンドルの両端部が二股に広がるために、当該両端部の当該広がった範囲に置いて、更に、ヘッドカバー部を幅方向へ広がった形態に保形することいができる。このために、従って、ヘッドカバーがクラブヘッドに引っ掛かることがなく、ヘッドカバーをクラブヘッドから一層、スムーズに外すことができる。
【００４４】
請求項９に記載の発明によれば、請求項３乃至８のいずれか１項に記載の発明の効果を奏することができる上に、ハンドルがリング状になっているために、ハンドルに指を引っ掛けて引くことで、ヘッドカバーをクラブヘッドから容易に外すことができる。
【００４５】
請求項１０に記載の発明によれば、ハンドルが硬質材で形成されているために、クラブヘッドの挿入方向へ向けてドーム型に湾曲したハンドルを掴んで引くことによって、ヘッドカバーをクラブヘッドから容易に外すことができる。
【００４６】
又、ハンドルはドーム型に湾曲した形態に形成されているために、ハンドルは、ヘッドカバー部の形態を、幅方向、及びクラブヘッドの挿入方向へ広がった形態に保形することができる。従って、ヘッドカバーをクラブヘッドから外す際に、ヘッドカバーがクラブヘッドに引っ掛かることがなく、ヘッドカバーをクラブヘッドからスムーズに外すことができる。
【００４７】
請求項１１に記載の発明によれば、請求項１０に記載の発明の作用効果を奏することができる上に、クラブヘッドのソール外周の一部又は全部に対応する部位において、ヘッドカバー部の広がった形態を保形することができるために、ヘッドカバーをクラブヘッドから外す際に、ヘッドカバーがクラブヘッドに引っ掛かることがなく、ヘッドカバーをクラブヘッドからスムーズに外すことができる。
【００４８】
請求項１２に記載の発明によれば、請求項１０又は１１に記載の作用効果を奏することができる上に、ハンドルの指差込孔に指を差し込んでハンドルを引くことによって、ヘッドカバーをクラブヘッドから容易に外すことができる。
【００４９】
請求項１３に記載の発明によれば、請求項１０又は請求項１１に記載の発明の作用効果を奏することができる上に、ハンドルの凹部に引っ掛けてハンドルを引くことによって、ヘッドカバーをクラブヘッドから容易に外すことができる。
【００５０】
請求項１４に記載の発明によれば、請求項１０又は請求項１１に記載の発明の作用効果を奏することができる上に、クラブヘッドの下端側から開口部に指を差し込み、指でハンドルを掴んでハンドルを引くことによって、ヘッドカバーをクラブヘッドから容易に外すことができる。
【００５１】
請求項１５に記載の発明によれば、請求項１０又は１１に記載の発明において、クラブヘッドの反下端側から開口部に手又は指を差し込み、ハンドルを掴んでハンドルをクラブヘッドの下端側へ引くことによって、ヘッドカバーをクラブヘッドから容易に外すことができる。
【００５２】
請求項１６に記載の発明によれば、請求項１４又は１５に記載の発明の作用効果を奏することができる上に、ハンドルの開口部が、ヘッドカバー部の幅が最大の部位又はその近傍に設けられているために、ヘッドカバーをクラブヘッドから外す際には、当該ヘッドカバー部の幅の最大の部位、又はその近傍において、ハンドルを握って引くことになるために、ヘッドカバーはクラブヘッドに引っ掛かり難く、ヘッドカバーをクラブヘッドからスムーズに外すことができる。
【００５３】
請求項１７に記載の発明によれば、ハンドルを握ってハンドルを引くことによって、ヘッドカバーをクラブヘッドから外すことができる。ハンドルは硬質材で形成されて変形し難いために、ハンドルをしっかりと握って引くことによって、ヘッドカバーをクラブヘッドから容易に外すことができる。
【００５４】
又、ヘッドカバー部の形態は、クラブヘッドの挿入方向において保形されるために、ヘッドカバーをクラブヘッドから外す際に、ヘッドカバーはクラブヘッドに引っ掛かり難く、ヘッドカバーをクラブヘッドからスムーズに外すことができる。
【００５５】
請求項１８に記載の発明によれば、請求項１７に記載の発明の作用効果を奏することができる上に、ハンドルの先端側が二股に分岐して広がった範囲において、ヘッドカバー部の形態を保形することができるために、ヘッドカバーをクラブヘッドから外す際に、ヘッドカバーはクラブヘッドに引っ掛かることがなく、ヘッドカバーをクラブヘッドから容易に外すことができる。
【００５６】
請求項１９に記載の発明によれば、請求項１７に記載の発明の作用効果を奏することができる上に、ハンドルの先端側及び後端側が二股に分岐して広がった範囲において、ヘッドカバー部の形態を保形することができるために、ヘッドカバーをクラブヘッドから外す際に、ヘッドカバーはクラブヘッドに引っ掛かることがなく、ヘッドカバーをクラブヘッドから容易に外すことができる。
【００５７】
請求項２０に記載の発明によれば、ハンドルを握ってハンドルを引くことによって、ヘッドカバーをクラブヘッドから外すことができる。ハンドルは硬質材で形成されて変形し難いために、ハンドルをしっかりと握って引くことによって、ヘッドカバーをクラブヘッドから容易に外すことができる。又、ヘッドカバー部の表面に取り付けられた基板がヘッドカバー部の形態を保形することができるために、ヘッドカバーをクラブヘッドから外す際に、ヘッドカバーはクラブヘッドに引っ掛かることがなく、ヘッドカバーをクラブヘッドから容易に外すことができる。
【００５８】
請求項２１に記載の発明によれば、ハンドルを握ってハンドルを引くことによって、ヘッドカバーをクラブヘッドから外すことができる。ハンドルは硬質材で形成されて変形し難いために、ハンドルをしっかりと握って引くことによって、ヘッドカバーをクラブヘッドから容易に外すことができる。又、クラブヘッドのソールの全面、又はその一部を覆うように設けられた取付基板がヘッドカバーの形態を保形するために、ヘッドカバーをクラブヘッドから外す際に、ヘッドカバーはクラブヘッドに引っ掛かることがなく、ヘッドカバーをクラブヘッドから容易に外すことができる。
【００５９】
請求項２２に記載の発明によれば、請求項２１に記載の発明の作用効果を奏することができる上に、幅方向へ向けて細長のハンドルを握って引くことによって、ヘッドカバーをクラブヘッドから外すことができる。
【００６０】
請求項２３に記載の発明によれば、請求項２１に記載の発明の作用効果を奏することができる上に、クラブヘッドの挿入方向へ向けて細長のハンドルを握って引くことによって、ヘッドカバーをクラブヘッドから外すことができる。
【発明を実施するための最良の形態】
【００６１】
図１乃至図３は、ゴルフクラブのヘッドカバーの第１実施形態を示す。図１は、クラブヘッドＫのソール側を上側にして該クラブヘッドＫが挿入された状態のヘッドカバー１を斜め上側から観た斜視図を示す。図２は、図１を上側から観た状態を示す。図３は、図１を下側から観た状態を示す。
【００６２】
ゴルフクラブＫのヘッドカバー１は、袋状に形成されてゴルフクラブＫのクラブヘッドＨが挿入されるヘッドカバー部２と、該ヘッドカバー部２の外面に取り付けられたハンドル３とを備えた形態である。
【００６３】
ヘッドカバー部２は、ソール被覆部４と、サイド被覆部５と、クラウン被覆部６と、伸縮性のシャフト被覆部７とで袋状に形成されている。図１、図２に示すように、ソール被覆部４はリム８によって縁取りされている。
【００６４】
図３に示すように、サイド被覆部５とクラウン被覆部６は左右に二分割され、その間に、シャフト被覆部７が挿入された状態で該シャフト被覆部７が、サイド被覆部５とクラウン被覆部６に縫着されることによって、ヘッドカバー部２が幅方向（図３中、矢示Ａ―Ｂ方向）に伸縮できて、大型のクラブヘッドがヘッドカバー部２内に収容できるようになっている。
【００６５】
該ヘッドカバー部２の内側は、クラブヘッドを収容するためのヘッド収容部と該ヘッド収容部に連通したヘッド挿通部になっていることによって、クラブヘッドは、該ヘッド挿通部を通ってヘッド収容部に収容され、又、該ヘッド収容部に収容されているクラブヘッドＨを該ヘッド挿通部を通って外部へ引き出されることができる。ここで、前記ヘッドカバー１の幅方向とは、該ヘッドカバー１に挿入されるクラブヘッドの挿入方向に対して直交する方向（図３中、矢示Ａ―Ｂ方向）である。
【００６６】
図１に示すように、前記ハンドル３は、ソール被覆部４の外面に取り付けられている。ハンドル３は細長の板状の硬質材で形成されている。ハンドル３は、ヘッドカバー部２の幅方向に設けられている。該ハンドル３は、その両端部３Ａ、３Ａが、前記クラブヘッドのソール外周上の互いに対向する二箇所に対応する部位のヘッドカバー部２外面に取り付けられている。
【００６７】
尚、図面では、特に、ハンドル３の両端部３Ａ、３Ａは、クラブヘッドのソール外周上の互いに対向する二箇所に対応する部位のソール被覆部４外面であって、ヘッドカバー部２の幅が最大である部位に設けられたハンドル取付部９によって取り付けられている場合を示す。
【００６８】
ハンドル３は、湾曲した形態に形成されることによって、ハンドル３の内面とヘッドカバー部外面との間には隙間Ｓが設けられている。隙間Ｓは、手、又は指を差し込むことのできる広さであることが好ましい。又、ハンドル３が湾曲した形態に形成されることによって、ヘッドカバー部２を幅方向へ広げようとする力をヘッドカバー部２に付与することができる。
【００６９】
ハンドル３は前述のように湾曲した形態であって、図１に示すように、アーチ型に湾曲した形態に形成されることができる。又、前述のように、ハンドル３を形成する硬質材として、ポリプロピレン、ポリエチレン等の樹脂を選択することができる。ここで、ポリエチレンの曲げ剛性率は、２０００kg/cm２  〜２５００kg/cm２である。
【００７０】
前記ハンドル取付部９は、縫着部で構成することができる。このように、ハンドル取付部９を縫着部で構成した場合には、ハンドル３の両端部３Ａをヘッドカバー部２に取り付ける際の強度を上げて、ハンドル３をヘッドカバー部２にしっかりと取り付けることができる。ハンドル３の厚さが約２ｍｍの場合には、ハンドル３は強度を維持した上に、ハンドル３をヘッドカバー部２に容易に縫着することができる。
【００７１】
又、ハンドル３の表面をシボ加工することで、ハンドル３を手で掴んだ際のスベリを防止することができる。
【００７２】
尚、ハンドル３の両端部３Ａは、縫着以外の手段、例えば、接着等の手段によって、ヘッドカバー部２外面に取り付けることができる。
【００７３】
次に作用について説明する。図１、図２は、ヘッドカバー１にゴルフクラブＫのクラブヘッドＨを挿入した状態を示す。この状態においては、ヘッドカバー部２はハンドル３によって幅方向へ広げられた状態に保形されている。つまり、ヘッドカバー１内側のヘッド収容部は広がった状態に保形されているために、該ヘッドカバー部２とクラブヘッドＨとの接触面積が少なくなっている。
【００７４】
この状態において、プレーヤが例えば、左手でゴルフクラブＫのシャフトＭを握り、右手でハンドル３を握った後、ゴルフクラブＫの下端方向へ向けて、右手を引くことによって、クラブヘッドＨが、ヘッドカバー１のヘッド収容部からヘッド挿通部を通って外部へ引き抜かれるようにして、該ヘッドカバー１をクラブヘッドＨからスムーズに外すことができる。この際、前述のように、ヘッド収容部はハンドル３によって広がった状態に保形されているために、ヘッドカバー１がクラブヘッドＨに引っ掛かることなく、該ヘッドカバー１をクラブヘッドＨからスムーズに、且つ小さな力で取り外すことができる。
【００７５】
又、図１に示すように、ヘッドカバー部２の横幅が最大となる部位の近傍にハンドル３を取り付けることで、該ヘッドカバー部２を幅方向へ広げる方向の力をヘッドカバー部２に付与している場合には、ヘッドカバー１のヘッド収容部の横幅が最大の部位で保形されるために、ヘッドカバー１がクラブヘッドＨに引っ掛かることが少なく、ヘッドカバー１をクラブヘッドから一層、スムーズに外すことができる。
【００７６】
図４は、第２実施形態を示す。この第２実施形態の特徴は、第１実施形態と比較して、ハンドル３の両端部３Ａ、３Ａの幅がクラブヘッドの挿入方向へ広く形成されて、クラブヘッドのソール外周上に対応する部位のヘッドカバー部２外面に取り付けられている。この第２実施形態においては、第１実施形態の場合よりも、ハンドル３の両端部３Ａ、３Ａが広がった分だけ更に広い範囲に亘って、ソール外周に沿ってヘッドカバー部２の形態を保形することができる。このために、ヘッドカバー１のヘッド収容部は、第１実施形態と比較して、一層広がった状態に保形されることができるために、ヘッドカバー１をクラブヘッドから取り外す際に、該ヘッドカバー１は、ヘッド収容部に収容されているクラブヘッドに引っ掛かることなく、小さな力で、スムーズに取り外されることができる。
【００７７】
図５は、第３実施形態を示す。この第３実施形態の特徴は、ハンドル３の両端部３Ａ、３Ａを二股に形成した点にある。この第３実施形態においても、第２実施形態と同様に、第１実施形態の場合よりも、ハンドル３の両端部３Ａ、３Ａが広がった分だけ更に広い範囲に亘って、ソール外周に沿ってヘッドカバー部２を保形することができる。このために、ヘッドカバー１のヘッド収容部は、一層広がった状態に保形されることができて、ヘッドカバー１は、小さな力でハンドル３を引くことによって、ヘッド収容部に収容されているクラブヘッドに引っ掛かることなく、スムーズに取り外される。
【００７８】
図６は、第４実施形態を示す。第４実施形態の特徴は、ハンドル３の表面に凹部１０が形成されている点にある。該凹部１０は、ヘッドカバー部２の幅方向へ向けて溝状に凹ませることによって形成されることができる。この第４実施形態においては、前述の第１実施形態と同様な作用効果を奏することができる上に、ゴルプレーヤは、ハンドル３の凹部１０に指を引っ掛けてハンドル３を引くことによって、ヘッドカバー１をクラブヘッドからスムーズに取り外すことができる。図６には、ハンドル３の表面に一つの凹部１０が形成されている場合について示したが、複数個の凹部を設けることも可能である。
【００７９】
図７は第５実施形態を示す。第５実施形態の特徴は、ハンドル３に補助ハンドル１１を設けた点にある。補助ハンドル１１の基端部１２は、ハンドル３の幅方向のほぼ中央に連設されると共に、ゴルフクラブの下端側へ向けて延設されることで、ハンドル３と補助ハンドル１１とが略Ｔ字状に形成されている。該補助ハンドル１１の先端部１３は、クラブヘッドのソール外周上に対応するソール被覆部４外面に取り付けられている。この第５実施形態においては、ハンドル３の両端部３Ａ，３Ａと、補助ハンドル１１の先端部１３との合計３点で、ヘッドカバー１のヘッド収容部を、該ヘッドカバー１の幅方向、及びクラブヘッドの挿入方向において、保形することができる。
【００８０】
又、ハンドル３は補助ハンドル１１によって支えられてヘッドカバー部２にしっかりと取り付けられているために、ヘッドカバー１をクラブヘッドから外すべく、ヘッドカバー１を引っ張る力が、ハンドル３に加わっても、当該力によって、ハンドル３が損傷する虞が小さい。
【００８１】
図８は第６実施形態を示す。第６実施形態の特徴は、ハンドル３に補助ハンドル１４を設けた点にある。補助ハンドル１４の基端部１５は、ハンドル３の幅方向のほぼ中央に連設されると共に、ゴルフクラブの引抜方向へ向けて延設されることで、ハンドル３と補助ハンドル１４とが略Ｔ字状に形成されている。該補助ハンドル１４の後端部１６は、クラブヘッドのソール外周上に対応するソール被覆部４外面に取り付けられている。この第６実施形態において、第５実施形態と同様な作用効果を奏することができる。
【００８２】
図９は、第７実施形態を示す。この第７実施形態の特徴は、ハンドル３が、中央に、引っ掛け孔１７が形成されたリング状に形成されている。該ハンドル３は、ヘッドカバー部２の幅方向に設けられ、その両端部３Ａ、３Ａが、クラブヘッドのソール外周上のソール被覆部４外面に取り付けられている。この第７実施形態においては、引っ掛け孔１７に指又は手を差し込んで、ハンドル３を引くことによって、ヘッドカバー１をクラブヘッドから取り外すことができる。
【００８３】
図１０は、第８実施形態を示す。この第８実施形態の特徴は、ハンドル基板１８と、Ｕ字状の引っ掛け部１９とから構成され、該引っ掛け部１９の両端部がハンドル基板１８に取り付けられることで、ハンドルの平面形状がリング状を成している。該ハンドル基板１８は、ヘッドカバー部２の幅方向に取り付けられている。この第８実施形態においては、引っ掛け部１９に指又は手を差し込んで、ハンドル３を引くことによって、ヘッドカバー部２をクラブヘッドから取り外すことができる。
【００８４】
図１１は、第９実施形態を示す。この第９実施形態の特徴は、アーチ型に湾曲したハンドル３をクラブヘッド１の挿入方向へ向けて、ソール被覆部４外面に取り付けた点にある。該ハンドル３の両端部３Ａ、３Ａは、クラブヘッドのソール外周上に対応する部位のソール被覆部４外面に取り付けられている。この第９実施形態においても、ハンドル３を握ってハンドル３をゴルフクラブの下端側へ向けて引くことで、ヘッドカバー１をクラブヘッドから外すことができる。又、クラブヘッドのソール外周上に対応する２点の部位で、ヘッドカバー１を保形してヘッド収容部を保形することができるために、ヘッドカバー１がクラブヘッドに引っ掛かることが少ない状態で、ヘッドカバー１をクラブヘッドからスムーズに外すことができる。
【００８５】
図１２は、第１０実施形態を示す。この第１０実施形態の特徴は、第９実施形態の変形であって、ハンドル３の一端側に二股部２０、２０を設けた点にある。該二股部２０、２０は、クラブヘッドのソール外周上に対応する部位のソール被覆素材４外面に取り付けられている。この第１０実施形態においては、第９実施形態と同様な作用効果を奏することができる上に、ハンドル３の二股部２０、２０は、クラブヘッドのソール外周上に対応する２点の部位で、ヘッドカバー部２の形態を保形してヘッド収容部を保形することができるために、ハンドル３は合計３点の部位で、ヘッドカバー部２を保形してヘッド収容部を保形することができるために、第９実施形態と比較して、ヘッドカバー１がクラブヘッドに引っ掛かることが一層少ない状態で、ヘッドカバー１をクラブヘッドからスムーズに外すことができる。
【００８６】
図１３は、第１１実施形態を示す。この第１１実施形態の特徴は、第９実施形態の変形であって、ハンドル３の両端側に二股部２１，２２を設けた点にある。該各二股部２１，２２は、クラブヘッドのソール外周上に対応する部位のソール被覆素材４外面に取り付けられている。この第１１実施形態においては、第９実施形態と同様な作用効果を奏することができる上に、ハンドル３の各二股部２１，２２は、クラブヘッドのソール外周上に対応する各２点の部位で、ヘッドカバー部２を保形してヘッド収容部を保形することができるために、合計４点の部位で、ヘッドカバー部２を保形してヘッド収容部を保形することができるために、第９実施形態と比較して、ヘッドカバー１がクラブヘッドに引っ掛かることが一層少ない状態で、ヘッドカバー１をクラブヘッドからスムーズに外すことができる。
【００８７】
図１４は、第１２実施形態を示す。この第１２実施形態の特徴は、第９実施形態の変形であって、ソール被覆素材４の外面に、リング状の取付基板２３を設け、該取付基板２３にハンドル３を設けた点にある。該取付基板２３は、クラブヘッドのソール外周上に対応する部位のソール被覆素材４外面に取り付けられている。この第１２実施形態においては、クラブヘッドのソール外周の全周に亘って、ヘッドカバー部２を保形してヘッド収容部を保形することができるために、第９実施形態と比較して、ヘッドカバー１がクラブヘッドに引っ掛かることが一層少ない状態で、ヘッドカバー１をクラブヘッドからスムーズに外すことができる。
【００８８】
図１５は、第１３実施形態を示す。この第１３実施形態の特徴は、ハンドル３が、ヘッドカバー部２の幅方向へ向けて湾曲すると共に、クラブヘッドの挿入方向へ向けて湾曲することで、ほぼ略ドーム型に形成された形態である。該ハンドル３の外周は、クラブヘッドのソール外周の全周に対応する形態であって、該ハンドル３の外周は、クラブヘッドのソール外周の全周に対応する部位のソール被覆素材４外面に取り付けられている。ハンドル３の上面には、二つの引っ掛け孔２４，２５が設けられている。
【００８９】
この第１３実施形態においては、ハンドルは硬質材で形成されて変形し難いために、ハンドルをしっかりと握って引くことによって、ヘッドカバーをクラブヘッドから容易に外すことができる。又、引っ掛け孔２４，２５に指を引っ掛けてハンドル３を引くことによって、ヘッドカバー１をクラブヘッドから容易に外すことができる。又、この第１３実施形態においては、ハンドル３の外周は、クラブヘッドのソール外周の全周に対応する部位のソール被覆素材４外面に取り付けられることで、ヘッドカバー部２のヘッド収容部の形態を保形することができるために、ヘッドカバー１をクラブヘッドから外す際に、ヘッドカバー１がクラブヘッドに引っ掛かることなく、ヘッドカバー１をクラブヘッドからスムーズに外すことができる。
【００９０】
図１６は、１４実施形態を示す。この第１４実施形態の特徴は、第１３実施形態の変形であって、ハンドル３の形態を、ソール被覆素材４のほぼ全範囲にまで拡大した大きさに形成した点にある。この第１４実施形態においては、第１３実施形態の作用効果を奏することができる上に、ハンドル３は、ソール被覆素材４のほぼ全範囲に亘ってヘッドカバー部２の形態を保形することができるために、ヘッドカバー１をクラブヘッドから外す際に、第１３実施形態と比較して、一層、ヘッドカバー１はクラブヘッドに引っ掛かることなく、ヘッドカバー１をクラブヘッドから一層スムーズに外すことができる。
【００９１】
図１７は、第１５実施形態を示す。この第１５実施形態の特徴は、第１３実施形態の変形を示す。この第１５実施形態の特徴は、ハンドル３をドーム型に形成し、且つ該ハンドル３に、ヘッドカバー部２の幅方向に互いに対向する引っ掛け孔２６，２６と、クラブヘッドの挿入方向に開口する引っ掛け孔２７と、クラブヘッドの引抜方向に開口する引っ掛け孔２７とを形成した点にある。この第１５実施形態においては、四つの引っ掛け孔２６，２７に指を挿入して、ハンドル３を引くことによって、ヘッドカバー１をクラブヘッドから容易に外すことができる。
【００９２】
図１８は、第１６実施形態を示す。この第１６実施形態の特徴は、ハンドル３が、ヘッドカバー部２の幅方向へ向けて湾曲すると共に、クラブヘッドの挿入方向へ向けて湾曲した略ドーム型に形成され、且つ、ゴルフクラブの下端側が切り欠かれて開口部２８が設けられた形態である。該ハンドル３の外周縁は、クラブヘッドのソール外周に対応する形態であって、該ハンドル３の外周縁は、クラブヘッドのソール外周の一部に対応する部位のソール被覆素材４外面に取り付けられている。
【００９３】
この第１６実施形態においては、ハンドル３の開口部２８の縁２９を指で掴むようにして、ハンドル３を引くことによって、ヘッドカバー１をクラブヘッドから外すことができる。又、この第１６実施形態においては、ハンドル３が、略ドーム型に形成されて、クラブヘッドのソール外周の一部に対応する部位において、ヘッドカバー１のヘッド収容部の形態を広がった状態に保形することができる。このために、ヘッドカバー１をクラブヘッドから外す際に、該ヘッドカバー１とクラブヘッドとの引っ掛かりが少ない状態で、該ヘッドカバー１をクラブヘッドからスムーズに外すことができる。
【００９４】
図１９，図２０は、第１７実施形態を示す。図２０は、ハンドル３の裏面を示す。図２１は、ヘッドカバー１にクラブヘッドＨを収容した状態を示す。この第１７実施形態の特徴は、第１６実施形態の変形であって、ハンドル３の開口部２８の近傍に孔３０を設けることによって、ハンドル３の縁と前記孔３０との間に掴み部３１を設けた点にある。
【００９５】
又、図２１に示すように、掴み部３１をヘッドカバー１の幅が最大になる部位、又はその近傍に位置するように設けることができる。
【００９６】
この第１７実施形態においては、第１６実施形態と同様な作用効果を奏することができる上に、掴み部３１を手で掴んで、ハンドル３を引くことができるために、ハンドル３を、一層容易に掴んで引くことができる。又、掴み部３１をヘッドカバー１の幅が最大になる部位、又はその近傍に設けた場合には、ヘッドカバー１の幅が最大の部位又はその近傍において、ヘッドカバー１の幅方向へ広がった形態を保形するために、ヘッドカバー１をクラブヘッドＨから外す際に、ヘッドカバー１とクラブヘッドＨとの引っ掛かりを可及的に少なくできて、ヘッドカバー１をクラブヘッドＨから一層、スムーズに外すことができる。
【００９７】
開口部２８側の掴み部３１の縁３１Ａの厚さを約２ｍｍとし、前記孔３０側の掴み部３１の縁３１Ｂの厚さを約７ｍｍと厚くすることによって、孔３０に手を差し込んだ際に掴み部３１の縁３１Ｂが手と面で接触することになって、手からハンドル３に力を伝わり易くすることが可能である。
【００９８】
図２０に示すように、前記掴み部３１の裏面にクラブヘッドＨの挿入方向に向けて複数のリブＲを形成した場合には、掴み部３１がヘッドカバーの幅方向に撓み易くなって、ハンドル３をヘッドカバー１に取り付ける際の作業を容易に行うことができる。
【００９９】
又、ハンドル３の周縁に沿って、視認できる縫製ラインＬを設けることによって、ハンドル３をヘッドカバー部２に縫製する作業を容易に行うことができる。
【０１００】
この実施形態においては、略ドーム型に形成されたハンドル３がクラブヘッドのソールを覆うために、クラブヘッドを衝撃から保護することが可能である。
【０１０１】
図２２は、第１８実施形態を示す。この第１８実施形態の特徴は、第１６実施形態の変形であって、ハンドル３の開口部２８が、クラブヘッドの引抜方向へ向けて開口するように、ハンドル３が形成されている点にある。
【０１０２】
この第１８実施形態においては、開口部２８に４本の指の先端側を差し込んで、引くことによって、ヘッドカバーをクラブヘッドから外すことができる。
【０１０３】
この第１８実施形態においては、第１６実施形態の作用効果と同様に、ハンドル３が、略ドーム型に形成されて、クラブヘッドのソール外周の一部に対応する部位において、ヘッドカバー１のヘッド収容部の形態を広がった状態に保形することができる。このために、ヘッドカバー１をクラブヘッドから外す際に、該ヘッドカバー１とクラブヘッドとの引っ掛かりが少ない状態で、該ヘッドカバー１をクラブヘッドからスムーズに外すことができる上に、ハンドル３の開口部２８に手を引っ掛けて引くことによって、ヘッドカバー１をクラブヘッドから容易に外すことができる。
【０１０４】
図１８乃至図２２に示すように、ハンドル３を略ドーム型に形成して、開口部２８を設けた場合には、ハンドル３の開口部２８を小物を収容するためのポケットとして用いることも可能である。
【０１０５】
図２３は、第１９実施形態を示す。この第１９実施形態の特徴は、クラブヘッドのソールを覆う部位に対応するソール被覆素材４の外面に取付基板３２を設け、該取付基板３２の外面にクラブヘッドの挿入方向へ向けて長尺のハンドル３を設けた点にある。この第１９実施形態においては、ハンドル３を握ってハンドル３を引くことによって、ヘッドカバー１をクラブヘッドから外すことができる。
【０１０６】
又、この第１９実施形態においては、クラブヘッドのソールを覆う部位に対応して設けられた取付基板３２が、ヘッドカバー部２の形態を保形して、ヘッド収容部の形態を保形できるために、ヘッドカバー１をクラブヘッドから外す際に、該ヘッドカバー１は、該ヘッド収容部に収容されているクラブヘッドに引っ掛かることなく、該クラブヘッドからスムーズに外すことができる。
【０１０７】
図２４は、第２０実施形態を示す。この第２０実施形態の特徴は、クラブヘッドのソールを覆う部位に対応するソール被覆素材の外面に取付基板３２を設け、該取付基板３２の外面にクラブヘッドの幅方向へ向けて長尺のハンドル３を設けた点にある。
【０１０８】
この第２０実施形態においては、ハンドル３を握ってハンドル３を引くことによって、ヘッドカバー１をクラブヘッドから外すことができる。
【０１０９】
又、この第２０実施形態においては、クラブヘッドのソールを覆う部位に対応して設けられた取付基板３２が、ヘッドカバー部２の形態を保形して、ヘッド収容部の形態を保形できるために、ヘッドカバー１をクラブヘッドから外す際に、該ヘッドカバー１は、該ヘッド収容部に収容されているクラブヘッドに引っ掛かることなく、該クラブヘッドからスムーズに外すことができる。
【０１１０】
次に、図１９乃至図２１に記載の第１７実施形態を例にして、ヘッドカバー１のハンドル３を掴んで引くことによって、ヘッドカバー１をクラブヘッドＨから容易に引き抜くことができることを実証した場合について、図２５及び図２６を参照して説明する。図２５は、引っ張り箇所、引っ張った方向（上方向、前方向）、最大試験力、状況の関係を示している。又、図２６は、クラブヘッドＨを上側にしてゴルフクラブＫを逆さに立てた状態で該クラブヘッドＨにヘッドカバー１を被せた状態を示している。
【０１１１】
図２５中の「引っ張り箇所」の欄において、「ハンドル」とは図２６に示すように、ハンドル３を引っ張ったことを示し、同じく、図２５中の「引っ張り箇所」の欄において、「先端部」とは同図２６中において、ハンドル３の設けられていないヘッドカバー１の先端部αを掴んだことを示し、又、同じく、図２６中の「引っ張り箇所」の欄において、「上部掴み」とは同図２５中において、ハンドル３の設けられていないヘッドカバー１の上面βを掴んだことを示している。
【０１１２】
又、同図２５中、「引っ張り方向（上方向）」とは、図２６中、「真上の方向」へ引っ張ったことを意味し、又、同図２５中、「引っ張り方向（前方向）」とは、図２６中、ゴルフクラブＫの曲がりに沿って、「前方の斜め上方」へ引っ張ったことを意味している。更に、同図２５中、「最大試験力」とはクラブヘッドＨからヘッドカバー１を引き抜く際に要した力を意味している。更に、同図２５中、「状況」とは、クラブヘッドＨからヘッドカバー１を引き抜くことができたか否かを意味している。
【０１１３】
そして、同図２５に示すように、ハンドル３を握って、ヘッドカバー１を前方向へ引いた場合の最大試験力が小さいことから判断して、ハンドル３を握って、ヘッドカバー１を前方向へ引くことによって、ヘッドカバー１をクラブヘッドＨから容易に引き抜くことができるものである。尚、図２５中の「最大試験力」の欄と、「状況」の欄に横線「―」の表示があるが、最大試験力の欄の「―」の表示は、最大試験力が当初予想した値以上に大きいために測定不能であることを意味し、又、このように測定不能であったために、ヘッドカバー１をクラブヘッドＨから引き抜くことができるか否かの「状況」を判断できなかったことを意味している。
【０１１４】
尚、ハンドル３の材質は、ほとんど変形しない、例えば、金属のような材質であっても良いが、ハンドル３をソール被覆部４に縫いつけて、その後、裏返すという縫製作業を行い易くするためには、ある程度の弾力を有して変形できる材質のものが好ましい。
【０１１５】
尚、本発明は、前記実施形態に限定されるものではなく、特許請求の範囲内において適宜変更できるものである。
【図面の簡単な説明】
【０１１６】
【図１】図１は、クラブヘッドにヘッドカバーを被せた状態の斜視図である。
【図２】図２は、図１を上側から観た状態の図である。
【図３】図３は、図１を下側から観た状態の図である。
【図４】図４は、ヘッドカバーの斜視図である。
【図５】図５は、ヘッドカバーの斜視図である。
【図６】図６は、ヘッドカバーの斜視図である。
【図７】図７は、ヘッドカバーの斜視図である。
【図８】図８は、ヘッドカバーの斜視図である。
【図９】図９は、ヘッドカバーの斜視図である。
【図１０】図１０は、ヘッドカバーの斜視図である。
【図１１】図１１は、ヘッドカバーの斜視図である。
【図１２】図１２は、ヘッドカバーの斜視図である。
【図１３】図１３は、ヘッドカバーの斜視図である。
【図１４】図１４は、ヘッドカバーの斜視図である。
【図１５】図１５は、ヘッドカバーの斜視図である。
【図１６】図１６は、ヘッドカバーの斜視図である。
【図１７】図１７は、ヘッドカバーの斜視図である。
【図１８】図１８は、ヘッドカバーの斜視図である。
【図１９】図１９は、ヘッドカバーの斜視図である。
【図２０】図２０は、ハンドルの裏面図である。
【図２１】図２１は、ヘッドカバーの上面図である。
【図２２】図２２は、ヘッドカバーの斜視図である。
【図２３】図２３は、ヘッドカバーの斜視図である。
【図２４】図２４は、ヘッドカバーの斜視図である。
【図２５】図２５は、ヘッドカバーをクラブヘッドから引き抜く際の実験値を示す図表である。
【図２６】図２６は、クラブヘッドに被せられているヘッドカバーを引き抜く方向、及び引っ張り箇所を示している。
【符号の説明】
【０１１７】
１  ヘッドカバー
２  ヘッドカバー部
３  ハンドル
９  ハンドル取付部
Ｈ  クラブヘッド
Ｋ  ゴルフクラブ
Ｍ  シャフト
【図１】
2009273748.tif 000003
【図２】
2009273748.tif 000004
【図３】
2009273748.tif 000005
【図４】
2009273748.tif 000006
【図５】
2009273748.tif 000007
【図６】
2009273748.tif 000008
【図７】
2009273748.tif 000009
【図８】
2009273748.tif 000010
【図９】
2009273748.tif 000011
【図１０】
2009273748.tif 000012
【図１１】
2009273748.tif 000013
【図１２】
2009273748.tif 000014
【図１３】
2009273748.tif 000015
【図１４】
2009273748.tif 000016
【図１５】
2009273748.tif 000017
【図１６】
2009273748.tif 000018
【図１７】
2009273748.tif 000019
【図１８】
2009273748.tif 000020
【図１９】
2009273748.tif 000021
【図２０】
2009273748.tif 000022
【図２１】
2009273748.tif 000023
【図２２】
2009273748.tif 000024
【図２３】
2009273748.tif 000025
【図２４】
2009273748.tif 000026
【図２５】
2009273748.tif 000027
【図２６】
2009273748.tif 000028